(57)【特許請求の範囲】
【請求項１】
浴槽内の水の循環する追い焚き流路内の水と給水の通る給湯流路内の水の双方にバーナーからの熱を伝える熱交換器と、前記浴槽内の水を前記追い焚き流路を通じて循環させる循環ポンプとを備えた１缶２水路型給湯風呂釜において、
前記給湯流路を通じて出湯される湯温を検知する出湯温度検知手段と、前記循環ポンプによる循環水量を制御する循環ポンプ制御手段とを備え、
前記循環ポンプ制御手段は、給湯と風呂の追い焚きとが同時に使用されているとき、前記出湯温度検知手段によって検知される出湯温度を基にして当該温度が給湯設定温度になるよう前記循環ポンプによる循環水量を増減させ、
給湯単独運転あるいは追い焚き単独運転から給湯と追い焚きの同時運転へ移行したとき、前記循環ポンプによる循環水量を予め定めた最小流量に一旦設定し、その後給湯側の出湯温度に応じて前記循環水量を増減させることを特徴とする１缶２水路型給湯風呂釜。
【請求項２】
浴槽内の水の循環する追い焚き流路内の水と給水の通る給湯流路内の水の双方にバーナーからの熱を伝える熱交換器と、前記浴槽内の水を前記追い焚き流路を通じて循環させる循環ポンプとを備えた１缶２水路型給湯風呂釜において、
前記給湯流路を通じて出湯される湯温を検知する出湯温度検知手段と、前記循環ポンプによる循環水量を制御する循環ポンプ制御手段とを備え、
前記循環ポンプ制御手段は、給湯と風呂の追い焚きとが同時に使用されているとき、前記出湯温度検知手段によって検知される出湯温度を基にして当該温度が給湯設定温度になるよう前記循環ポンプによる循環水量を増減させ、給湯側に要求量の湯が給湯設定温度で出湯されているとき前記循環水量を増加し、前記バーナーを最大燃焼させても給湯側に要求量の湯が給湯設定温度で出湯されなくなったとき前記循環水量を減少させることを特徴とする１缶２水路型給湯風呂釜。
【請求項３】
前記循環ポンプ制御手段は、給湯側に要求量の湯が給湯設定温度で出湯されているとき前記循環水量を増加し、前記バーナーを最大燃焼させても給湯側に要求量の湯が給湯設定温度で出湯されなくなったとき前記循環水量を減少させることを特徴とする請求項１記載の１缶２水路型給湯風呂釜。
【請求項４】
浴槽内の水の循環する追い焚き流路内の水と給水の通る給湯流路内の水の双方にバーナーからの熱を伝える熱交換器と、前記浴槽内の水を前記追い焚き流路を通じて循環させる循環ポンプとを備えた１缶２水路型給湯風呂釜において、
前記給湯流路を通じて出湯される湯温を検知する出湯温度検知手段と、前記循環ポンプによる循環水量を制御する循環ポンプ制御手段とを備え、
前記循環ポンプ制御手段は、給湯と風呂の追い焚きとが同時に使用されているとき、前記出湯温度検知手段によって検知される出湯温度を基にして当該温度が給湯設定温度になるよう前記循環ポンプによる循環水量を増減させ、前記バーナーが最大燃焼している状態の下で前記循環流量を予め設定された最小流量に制限しても給湯側へ要求量の湯が給湯設定温度で出湯されなくなったとき、前記循環ポンプを停止し追い焚き動作を一時的に停止させることを特徴とする１缶２水路型給湯風呂釜。
【請求項５】
前記循環ポンプ制御手段は、前記バーナーが最大燃焼している状態の下で前記循環流量を予め設定された最小流量に制限しても給湯側へ要求量の湯が給湯設定温度で出湯されなくなったとき、前記循環ポンプを停止し追い焚き動作を一時的に停止させることを特徴とする請求項１，２または３記載の１缶２水路型給湯風呂釜。
【発明の詳細な説明】
【０００１】
【発明の属する技術分野】
本発明は、浴槽内の水の循環する追い焚き流路内の水と給水の通る給湯流路内の水の双方にバーナーからの熱を伝える熱交換器と、前記浴槽内の水を前記追い焚き流路を通じて循環させる循環ポンプとを備えた１缶２水路型給湯風呂釜に関する。
【０００２】
【従来の技術】
従来から使用されている１缶２水路型給湯風呂釜は、熱交換器を経由する追い焚き流路を通じて浴槽内の水を循環させる循環ポンプを備えており、風呂の追い焚き動作を行うとき、バーナーを点火するとともに当該循環ポンプを駆動するようになっている。また、給湯単独運転あるいは追い焚き単独運転から、給湯・追い焚きの同時運転に移行したとき、予め定められた定格能力で循環ポンプを駆動していた。
【０００３】
【発明が解決しようとする課題】
しかしながら、１缶２水路型の給湯風呂釜では、給湯と風呂の追い焚きを同時運転すると、バーナーの発生する熱が追い焚き流路側と給湯流路側の双方に吸熱されるので、循環ポンプを定格能力で一定駆動すると、バーナーを最大燃焼させても設定温度の湯を要求量だけ給湯側から出湯することができない場合が生じるという問題があった。
【０００４】
本発明は、このような従来の技術が有する問題点に着目してなされたもので、給湯と風呂の追い焚きとを同時運転した場合であっても設定温度の湯を要求量だけ給湯側から出湯することのできる１缶２水路型給湯風呂釜を提供することを目的としている。
【０００６】
【課題を解決するための手段】
かかる目的を達成するための本発明の要旨とするところは、次の各項の発明に存する。
［１］浴槽（４０）内の水の循環する追い焚き流路（３１）内の水と給水の通る給湯流路（２１）内の水の双方にバーナー（１２）からの熱を伝える熱交換器（１３）と、前記浴槽（４０）内の水を前記追い焚き流路（３１）を通じて循環させる循環ポンプ（３２）とを備えた１缶２水路型給湯風呂釜（１０）において、
前記給湯流路（２１）を通じて出湯される湯温を検知する出湯温度検知手段（２９）と、前記循環ポンプ（３２）による循環水量を制御する循環ポンプ制御手段（５１、３２ａ）とを備え、
前記循環ポンプ制御手段（５１、３２ａ）は、給湯と風呂の追い焚きとが同時に使用されているとき、前記出湯温度検知手段（２９）によって検知される出湯温度を基にして当該温度が給湯設定温度になるよう前記循環ポンプ（３２）による循環水量を増減させ、
給湯単独運転あるいは追い焚き単独運転から給湯と追い焚きの同時運転へ移行したとき、前記循環ポンプ（３２）による循環水量を予め定めた最小流量に一旦設定し、その後給湯側の出湯温度に応じて前記循環水量を増減させることを特徴とする１缶２水路型給湯風呂釜（１０）。
【０００７】
［２］浴槽（４０）内の水の循環する追い焚き流路（３１）内の水と給水の通る給湯流路（２１）内の水の双方にバーナー（１２）からの熱を伝える熱交換器（１３）と、前記浴槽（４０）内の水を前記追い焚き流路（３１）を通じて循環させる循環ポンプ（３２）とを備えた１缶２水路型給湯風呂釜（１０）において、
前記給湯流路（２１）を通じて出湯される湯温を検知する出湯温度検知手段（２９）と、前記循環ポンプ（３２）による循環水量を制御する循環ポンプ制御手段（５１、３２ａ）とを備え、
前記循環ポンプ制御手段（５１、３２ａ）は、給湯と風呂の追い焚きとが同時に使用されているとき、前記出湯温度検知手段（２９）によって検知される出湯温度を基にして当該温度が給湯設定温度になるよう前記循環ポンプ（３２）による循環水量を増減させ、給湯側に要求量の湯が給湯設定温度で出湯されているとき前記循環水量を増加し、前記バーナー（１２）を最大燃焼させても給湯側に要求量の湯が給湯設定温度で出湯されなくなったとき前記循環水量を減少させることを特徴とする１缶２水路型給湯風呂釜（１０）。
［３］前記循環ポンプ制御手段（５１、３２ａ）は、給湯側に要求量の湯が給湯設定温度で出湯されているとき前記循環水量を増加し、前記バーナー（１２）を最大燃焼させても給湯側に要求量の湯が給湯設定温度で出湯されなくなったとき前記循環水量を減少させることを特徴とする［１］記載の１缶２水路型給湯風呂釜（１０）。
【０００８】
［４］浴槽（４０）内の水の循環する追い焚き流路（３１）内の水と給水の通る給湯流路（２１）内の水の双方にバーナー（１２）からの熱を伝える熱交換器（１３）と、前記浴槽（４０）内の水を前記追い焚き流路（３１）を通じて循環させる循環ポンプ（３２）とを備えた１缶２水路型給湯風呂釜（１０）において、
前記給湯流路（２１）を通じて出湯される湯温を検知する出湯温度検知手段（２９）と、前記循環ポンプ（３２）による循環水量を制御する循環ポンプ制御手段（５１、３２ａ）とを備え、
前記循環ポンプ制御手段（５１、３２ａ）は、給湯と風呂の追い焚きとが同時に使用されているとき、前記出湯温度検知手段（２９）によって検知される出湯温度を基にして当該温度が給湯設定温度になるよう前記循環ポンプ（３２）による循環水量を増減させ、前記バーナー（１２）が最大燃焼している状態の下で前記循環流量を予め設定された最小流量に制限しても給湯側へ要求量の湯が給湯設定温度で出湯されなくなったとき、前記循環ポンプ（３２）を停止し追い焚き動作を一時的に停止させることを特徴とする１缶２水路型給湯風呂釜（１０）。
［５］前記循環ポンプ制御手段（５１、３２ａ）は、前記バーナー（１２）が最大燃焼している状態の下で前記循環流量を予め設定された最小流量に制限しても給湯側へ要求量の湯が給湯設定温度で出湯されなくなったとき、前記循環ポンプ（３２）を停止し追い焚き動作を一時的に停止させることを特徴とする［１］，［２］または［３］記載の１缶２水路型給湯風呂釜（１０）。
【０００９】
前記本発明は次のように作用する。
循環ポンプ制御手段（５１、３２ａ）は、給湯と風呂の追い焚きとが同時に使用されているとき、出湯温度検知手段（２９）によって検知される出湯温度を基にして当該温度が給湯設定温度になるよう循環ポンプ（３２）による循環水量を増減させる。たとえば、出湯温度が設定温度より低くなったとき、循環水量を減少させ、追い焚き側に吸熱される熱量を少なくして給湯側の加熱量を相対的に増やす。これにより、出湯温度を設定温度に向けて上昇させることができる。
【００１０】
そして、給湯単独運転あるいは追い焚き単独運転から給湯と追い焚きの同時運転へ移行したとき、循環ポンプ（３２）による循環水量を、予め定めた最小流量に一旦設定し、その後給湯側の出湯温度に応じて循環水量を増減させる。同時運転へ移行したとき、追い焚き側の吸熱量の少ない状態に一旦設定するので、当初から給湯側が優先され、同時運転の開始時に出湯温度が低下してしまうことがない。
【００１１】
また、追い焚き単独運転から同時運転へ移行した際も、一旦、循環水量を最小流量に絞ってから出湯温度に基づく循環水量の制御を行うので、循環ポンプ（３２）の動作していない給湯単独運転から同時運転へ移行する場合と追い焚き単独運転から同時運転へ移行する場合の制御を共通化でき、その簡略化を図ることができる。
【００１２】
循環ポンプ制御手段（５１、３２ａ）は、給湯側に要求量の湯が給湯設定温度で出湯されているとき、すなわち、適正な給湯を行いつつ燃焼能力にまだ余裕のあり得る状態のとき、追い焚き側の循環水量を増加する。一方、バーナー（１２）を最大燃焼させても給湯側に要求量の湯が給湯設定温度で出湯されなくなったとき、すなわち、給湯側により優先的にバーナー（１２）からの熱を配分する必要のあるとき、追い焚き側の循環水量を減少させる。これにより、給湯側に支障を与えない範囲内で追い焚きに要する時間を最大限に短縮することができる。
【００１３】
また循環ポンプ制御手段（５１、３２ａ）は、バーナー（１２）が最大燃焼している状態の下で循環流量を所定の最小流量に制限しても給湯側へ要求量の湯が給湯設定温度で出湯されなくなったとき、循環ポンプ（３２）を停止させ追い焚き動作を一時的に停止させる。これにより、給湯側をより一層優先的に加熱することができる。
【００１４】
なお、上述のように出湯温度を基にしたフィードバック制御により循環水量を制御することで、たとえば、給水温度、給湯設定温度、給湯側通水量を基にして号数の余裕度を求め、これと風呂側入水温度および風呂側設定温度等を基にし循環水量を設定するフィードフォワード制御を行うような場合に比べて、演算誤差等が無く、要求量の湯を給湯設定温度で確実に出湯しつつ、その範囲内で最大限に循環水量を増やすことができる。
【００１５】
【発明の実施の形態】
以下、図面に基づき本発明の一実施の形態を説明する。
各図は本発明の一実施の形態を示している。
本発明にかかる１缶２水路型給湯風呂釜１０は、水栓への給湯または浴槽４０内への注湯を行う機能や浴槽内の湯を追い焚きする機能等を備えている。図１に示すように、１缶２水路型給湯風呂釜１０は、燃焼室１１を備えており、当該燃焼室１１の下部には、バーナー１２が、燃焼室１１の上部には、バーナー１２からの熱を給水等に伝える熱交換器１３がそれぞれ配置されている。
【００１６】
熱交換器１３には、給湯または注湯用の給水を流すための給湯用パイプ２１と、追い焚き用に浴槽内の水を循環させる追い焚き用循環パイプ３１の双方が通っており、熱交換器１３はバーナー１２からの熱をこれら双方のパイプ２１、３１内の流体に伝えて加熱する機能を備えている。
【００１７】
給湯用パイプ２１のうち熱交換器１３の入側へ向かう給水側流路２１ａと、熱交換器１３の出側から延びる出湯側流路２１ｂの間には、固定バイパス路２２と、流量制御弁（ＧＭ１）２３の介挿されたバイパス路２４が接続されている。熱交換器１３で加熱された湯に、固定バイパス路２２、バイパス路２４を通じて給水を混合するとともに、バイパス比を、流量制御弁２３によって制御し得るようになっている。また、給湯用パイプ２１の出湯側流路２１ｂ側には、出湯の総流量やバイパス比を制御するための流量制御弁（ＧＭ２）２５が設けられている。
【００１８】
給湯用パイプ２１の入口部および出口部の近傍にはそれぞれ、通水の有無や通水量を検知するためのフローセンサ２６ａ、２６ｂが設けられている。また、給湯用パイプ２１の入口部近傍には、給水の温度（Ｔin）を検知するための入水サーミスタ２７が、熱交換器１３の出口部近傍には、加熱後の湯温（Ｔout）を検知するための熱交サーミスタ２８が、さらに給湯用パイプ２１の出口部近傍には、出湯温度（Ｔmix）を検知するための出湯サーミスタ２９がそれぞれ取り付けられている。
【００１９】
追い焚き用循環パイプ３１は、浴槽４０内の水を熱交換器１３まで戻す風呂戻パイプ部３１ａと、熱交換器１３で加熱された後の湯を浴槽４０へ送る風呂往パイプ部３１ｂとから構成される。風呂戻パイプ部３１ａの途中には循環ポンプ３２と、風呂戻パイプ部３１ａ内の通水の有無を検知する風呂流水スイッチ３３とが設けられている。また、風呂流水スイッチ３３の近傍には、浴槽４０側から流入する湯の温度を検知するための風呂温度サーミスタ３４が取り付けてある。
【００２０】
給湯用パイプ２１の出湯側流路２１ｂと、風呂戻パイプ部３１ａとは、注湯電磁弁３５を備えた注湯パイプ３６で接続されており、熱交換器１３で加熱された給水を注湯パイプ３６を介して浴槽４０へ注湯することができるようになっている。
【００２１】
給排気は、燃焼ファン１４によって燃焼室１１の下方側から給気を送風することによって強制的に行われ、排気は燃焼室１１の上部から排出されるようになっている。バーナー１２近傍には、図１では示していない点火装置１５が設けてある。またバーナー１２へ供給される燃焼ガスは、ガス電磁弁１６、元ガス電磁弁１７、ガス切替弁１８によってオンオフ制御される。さらにバーナー１２へ供給される燃焼ガスのガス量は、ガス比例弁１９によって調整される。なお、ガス比例弁１９の開度は、これに供給する比例弁電流（ｉ）によって制御される。
【００２２】
図２は、１缶２水路型給湯風呂釜１０の有する制御基盤の回路構成を示したものである。この制御基盤は、各種制御の中枢的機能を果たすＣＰＵ（中央処理装置）５１を備えている。ＣＰＵ５１には、データバスやアドレスバスなど各種バス５２を介して各種の回路装置が接続されている。
【００２３】
このうち、ＲＯＭ（リード・オンリ・メモリ）５３は、ＣＰＵ５１の実行するプログラムや各種の固定的データを記憶する読み出し専用メモリである。ＲＡＭ（ランダム・アクセス・メモリ）５４は、プログラムを実行する上で、一時的に必要になるデータを記憶するための作業メモリである。
【００２４】
バス５２には、本体操作部５５のほか、各種回路装置とＣＰＵ５１との間で電気信号の入出力を行うための入出力インターフェイス回路部５６が接続されている。なお、図示していないが、本体操作部５５のほか、メインリモコンや風呂リモコンも接続される。入出力インターフェイス回路部５６には、フローセンサ２６ａ、２６ｂ、各種サーミスタ２７〜２９、３４、点火装置１５、燃焼ファン１４、各種ガス制御弁１６〜１９、および流量制御弁２３、２５、注湯電磁弁３５および循環ポンプ３２を駆動するポンプ駆動回路３２ａが接続されている。このほか、必要に応じて各種制御装置が入出力インターフェイス回路部５６に接続される。
【００２５】
次に作用を説明する。
本実施の形態にかかる１缶２水路型給湯風呂釜１０は、給湯と追い焚きを同時運転した際に、給湯設定温度（Ｔsp）の湯を要求量だけ出湯し得るように、循環ポンプ３２による追い焚き用循環パイプ３１側の循環水量を調整するようになっている。すなわち、同時運転の場合には、追い焚き側よりも給湯側を優先し、出湯に支障の出ないように追い焚き側の吸熱量を調整している。ここで、要求量とは、出湯先の水栓の開度に応じた出湯量であり、実際には流量制御弁（ＧＭ２）２５によって湯量を制限しない状態における出湯量を指す。
【００２６】
図３に示すように、給湯単独運転、あるいは追い焚き単独運転の状態（ステップＳ１０１）から同時運転の状態になったとき（ステップＳ１０２；Ｙ）、まず、流量制御弁（ＧＭ２）２５が全開状態か否かを調べる（ステップＳ１０３）。流量制御弁（ＧＭ２）２５はバーナー１２を最大の能力（インプット）で燃焼させても、給湯設定温度の湯を出湯できない場合に、出湯量よりも出湯温度を優先するために絞るようになっている。したがって、流量制御弁（ＧＭ２）２５が全開状態でない場合は、既に、最大インプットでバーナー１２を燃焼しているにもかかわらず、給湯設定温度の湯を要求量だけ出湯できない状態にある。
【００２７】
１缶２水路型の場合、バーナー１２からの熱は、追い焚き側と給湯側の双方の流路に吸熱されるので、追い焚き側の循環水量が増加すれば追い焚き側の吸熱量が増え、相対的に給湯側の吸熱量が減少する。そこで流量制御弁（ＧＭ２）２５が全開状態にないときは（ステップＳ１０３；Ｎ）、追い焚き動作を中断して給湯単独運転に戻し（ステップＳ１０１へ）、給湯側を優先させている。
【００２８】
流量制御弁（ＧＭ２）２５が全開状態のときは（ステップＳ１０３；Ｙ）、給湯設定温度の湯を要求量だけ出湯しているので、まだバーナー１２の燃焼に余裕が有る可能性がある。そこで、給湯に加えて追い焚きを並行運転できると判断し、循環ポンプ３２を適宜の循環水量で動作させる（ステップＳ１０４）。その後、循環ポンプ３２を動作させて追い焚き運転を給湯運転と並行して行っている間、出湯サーミスタ２９の検知する出湯温度を監視する。そして、給湯設定温度と出湯温度が等しいかあるいは出湯温度が給湯設定温度より高いとき（ステップＳ１０５；Ｎ）、まだ燃焼量に余裕があると判断し循環ポンプ３２による循環水量を所定量（Δｑ）だけ増加させる（ステップＳ１０６）。
【００２９】
一方、出湯温度が給湯設定温度より低くなった場合には（ステップＳ１０５；Ｙ）、まず、バーナー１２が最大インプットで燃焼しているか否かを確認し（ステップＳ１０７）、最大インプットでないときは（ステップＳ１０７；Ｎ）、インプットを増加させる（ステップＳ１０８）。バーナー１２が最大インプットで燃焼しているときは（ステップＳ１０７；Ｙ）、給湯側の吸熱量を増加させるため、循環ポンプ３２による循環水量を所定量だけ減少させる（ステップＳ１１０）。なお、循環水量が予め設定した最小値まで既に絞られているときは（ステップＳ１０９；Ｙ）、追い焚き運転を中断し給湯単独運転に戻す（ステップＳ１０１へ）。
【００３０】
このように、出湯温度を監視し、これが給湯設定温度を下回らないように追い焚き側の循環水量をフィードバック制御によって増減させるので、給湯と追い焚きの同時運転を行っている間も、出湯湯量の減少や出湯温度の低下を招くことがない。
【００３１】
また出湯温度に基づくフィードバック制御を行うので、給湯設定温度の湯を要求量だけ出湯し得る範囲（給湯側に支障を与えない範囲）内で、最大限に追い焚き側の循環水量を増やすことができ、追い焚きにかかる時間を短くすることができる。
【００３２】
さらに循環水量を最小流量に制限しても給湯側の要求を満足できないとき追い焚き運転を中断するので、たとえば、動作可能な最小電力以下で循環ポンプ３２を駆動しこれを劣化させるようなことがない。
【００３３】
図４、図５は、図３に示した動作をより詳細に表したものである。ここで、１缶２水路型給湯風呂釜１０は複数の状態モードを備えており、どのような状態モードから同時運転に至るかによって同時運転開始直後における動作を異にしている。
【００３４】
１缶２水路型給湯風呂釜１０の状態モードには、モード１からモード４がある。このうちモード４は、運転を停止した状態である。モード１は、給湯用パイプ２１の熱交換器１３部分に熱い湯が停留している可能性の有る状態で、たとえば、給湯運転が無く、追い焚き運転の行われているとき、あるいは追い焚き単独運転が終了した後であって給湯運転が未だ行われていない状態のとき等が該当する。
【００３５】
このようなモード１の状態から給湯側へ出湯を開始すると、給湯設定温度以上の熱い湯の出る可能性があるので、モード１では、流量制御弁（ＧＭ１）２３を所定の開度にし、出湯が始まったときバイパス路２４を通じて低温の給水が出湯当初から多量に混合される状態を形成し、高温の湯の出ることを防いでいる。
【００３６】
モード３は、モード１から出湯を開始した直後の状態で、出湯温度を下げるために所定の開度で待機していた流量制御弁（ＧＭ１）２３を徐々に閉め込む期間に相当する。モード２は、流量制御弁（ＧＭ１）２３を閉じ終えた状態である。この状態は、たとえば、給湯単独運転中や給湯と追い焚きの同時運転中あるいは給湯単独運転を停止した後、追い焚き運転の行われる前の状態等が該当する。モード２からモード１への移行は、同時運転から給湯運転を停止した場合（すなわち、追い焚き単独運転になる）や給湯停止状態から追い焚き運転を開始したとき等に行われる。
【００３７】
図４は、給湯単独運転中（モード２またはモード３）から同時運転へ移行した際の動作の流れを示している。給湯単独運転（ステップＳ２０１）の状態で風呂の自動運転スイッチ等が押下され追い焚き指示（風呂割り込み）があると（ステップＳ２０２；Ｙ）、現在の状態モードがモード３の場合には、モード２に移行するまで待機する（ステップＳ２０３；Ｎ）。モード３は流量制御弁（ＧＭ１）２３を徐々に閉め込む期間であるので、出湯温度が安定しない。そこで、流量制御弁（ＧＭ１）２３の閉め込みが完了しモード２の状態になるのを待ってから追い焚き動作（循環水量の制御）を開始している。
【００３８】
モード２の状態において（ステップＳ２０３；Ｙ）、流量制御弁（ＧＭ２）２５が全開状態か否かを調べる（ステップＳ２０４）。全開でないときは（ステップＳ２０４；Ｙ）、バーナー１２を最大の能力（インプット）で燃焼させても給湯設定温度の湯を要求量だけ出湯できない状態に既にあるので、同時運転へ移行するのを止め、給湯単独運転のままとする（ステップＳ２０１へ）。
【００３９】
流量制御弁（ＧＭ２）２５が全開状態の場合には（ステップＳ２０４；Ｎ）、循環ポンプ３２の循環水量を予め定めた最小流量（ｑmin）に設定して追い焚き運転を開始する（ステップＳ２０５）。循環ポンプ３２の動作を開始したとき、出湯温度（Ｔmix）が給湯設定温度（Ｔsp）より低くなったときは（ステップＳ２０６；Ｙ）、比例弁電流（ｉ）が最大許容比例弁電流（ｉmax）か否か、すなわちバーナー１２へのインプットが最大値か否かを調べ（ステップＳ２０７）、最大値でないときは比例弁電流（ｉ）を△ｉだけ増加させ、出湯温度（Ｔmix）の上昇を試みる（ステップＳ２０８）。既に比例弁電流（ｉ）が最大許容比例弁電流（ｉmax）のときは、循環ポンプ３２を停止させ（ステップＳ２０９）、追い焚き運転を中断する（ステップＳ２０１へ）。
【００４０】
最小流量（ｑmin）で循環ポンプ３２を駆動しても出湯温度（Ｔmix）が給湯設定温度（Ｔsp）を下回ることがないときは（ステップＳ２０６；Ｎ）、燃焼能力にまだ余裕があると判断し循環ポンプ３２の循環水量を△ｑだけ増加させる（ステップＳ２１０）。その後さらに出湯温度（Ｔmix）を監視し（ステップＳ２１１）、出湯温度（Ｔmix）が給湯設定温度（Ｔsp）を下回っていない間は（ステップＳ２１１；Ｎ）、循環ポンプ３２の最大流量（ｑmax）に至るまで循環水量を△ｑずつ増加させることを行う（ステップＳ２１２、ステップＳ２１３）。
【００４１】
出湯温度（Ｔmix）が給湯設定温度（Ｔsp）よりも低くなったときは（ステップＳ２１１；Ｙ）、比例弁電流（ｉ）が既に最大値（ｉmax）か否かを調べ（ステップＳ２１４）、最大値（ｉmax）でないときは（ステップＳ２１４；Ｙ）、比例弁電流（ｉ）を△ｉずつ増加させ、出湯温度（Ｔmix）を上昇させる（ステップＳ２１５）。
【００４２】
一方、比例弁電流が既に最大値（ｉmax）の場合には、循環ポンプ３２の循環水量を△ｑずつ減少させる（ステップＳ２１７）。ただし、循環水量を既に最小流量（ｑmin）まで絞っているときは（ステップＳ２１６；Ｎ）、循環ポンプ３２を停止させ（ステップＳ２０９）、追い焚き運転を中断する（ステップＳ２０１へ）。このように循環水量を減少させることで追い焚き側の吸熱量を少なくし、相対的に給湯側の吸熱量を増加させ、出湯温度（Ｔmix）の上昇を図っている。
【００４３】
図５は、追い焚き単独運転中に給湯側への出湯が始まった場合における動作の流れを示している。追い焚き単独運転中（給湯用パイプ２１の熱交換器１３部分に高温の湯が停留しているモード１の状態）において（ステップＳ３０１）、給湯運転要求（給湯割り込み）が発生すると（ステップＳ３０２；Ｙ）、１缶２水路型給湯風呂釜１０の状態モードがモード１からモード３を経由しモード２になるまで待機し（ステップＳ３０３；Ｙ）、循環ポンプ３２をオフする（ステップＳ３０４）。以後の動作は、図４のステップＳ２０４以下と同様であり、その説明を省略する。
【００４４】
このように追い焚き運転中に給湯割り込みが発生したとき、循環ポンプ３２を一旦オフするので、ステップＳ３０５以下の動作を給湯単独運転中に風呂割り込みの発生した場合におけるステップＳ２０４以下の動作と共通化でき、制御の簡略化を図ることができる。また、同時運転へ移行したとき循環ポンプ３２を最小流量（ｑmin）から次第に増加させるようにしたので、同時運転の開始時に出湯温度（Ｔmix）が急激に降下するようなことがなく、快適な出湯を行うことができる。
【００４５】
さらに、バーナー１２を最大燃焼させても給湯設定温度（Ｔsp）の湯を要求量だけ出湯することができなくなったとき、始めて、循環水量を絞るので、給湯側を優先しつつ追い焚きに要する時間を最大限に短縮することができる。
【００４６】
図６は、追い焚き単独運転中に給湯割り込みが発生したとき、循環ポンプ３２を一旦オフすることなく、給湯割り込み発生時の循環水量を初期値として同時運転の制御に移行する場合の動作を示している。図６に示す流れは、図５に比べて、循環ポンプ３２を一旦オフするステップＳ３０４と、循環ポンプ３２の循環水量を最小流量（ｑmin）に初期設定するステップＳ３０６と、最小流量（ｑmin）での追い焚きによって出湯温度（Ｔmix）が低下することを防止する処理（ステップＳ３０７〜ステップＳ３０９）と、最小流量（ｑmin）から△ｑだけ循環水量を増加させるステップＳ３１２とが削除されている。また、流量制御弁（ＧＭ２）２５の開度が全開でないときも（ステップＳ３０５；Ｙ）循環ポンプ３２を停止させる処理（ステップＳ３１０）を行う点が異なり、他のステップは図５の示すものと同一になっている。
【００４７】
同時運転に移行した際における初期の循環水量において給湯側に給湯設定温度（Ｔsp）の湯を要求量だけ出湯することができる場合には（ステップＳ３０５；Ｎ）、給湯側に支障を与えない範囲で循環水量を増減しながら追い焚き運転が継続される（ステップＳ３１３からステップＳ３１９）。一方、同時運転に移行した際における初期の循環水量において給湯側に給湯設定温度（Ｔsp）の湯を要求量だけ出湯することができない場合には（ステップＳ３０５；Ｙ）、循環ポンプ３２を停止させ（ステップＳ３１０）、一旦、給湯単独運転に移行する（ステップＳ３１１）。このように、一旦、給湯単独運転に移行することで、その後は図４に示す動作が行われ、給湯側に支障の出ない範囲で追い焚き運転が行われることになる。
【００４８】
以上説明した実施の形態では、循環水量の１回当たりの増減量△ｑおよび比例弁電流（ｉ）の１回当たりの増減量△ｉを一定値にしたが、これらを可変値にするようにしてもよい。たとえば、出湯温度（Ｔmix）と給湯設定温度（Ｔsp）との偏差に応じて△ｑおよび△ｉの大きさを設定するようにしてもよい。
【００４９】
【発明の効果】
本発明にかかる１缶２水路型給湯風呂釜によれば、給湯と風呂の追い焚きとが同時使用されているとき、検知される出湯温度を基にして当該温度が給湯設定温度になるよう循環ポンプによる循環水量をフィードバック制御によって増減させるので、給湯側に支障を与えることなく給湯と追い焚きの同時運転を行うことができるとともに、給湯側に支障の出ない範囲内で追い焚きに要する時間を最大限に短縮することができる。
【００５０】
また、給湯単独運転あるいは追い焚き単独運転から給湯と追い焚きの同時運転へ移行したとき、循環ポンプによる循環水量を予め定めた最小流量に一旦設定し、その後給湯側の出湯温度に応じて循環水量を増減させるものでは、当初から給湯側が優先され、同時運転開始時に出湯温度が一時的に低下することが防止される。さらに追い焚き単独運転から同時運転へ移行した際も、一旦、循環水量を最小流量に絞ってから出湯温度に基づく循環水量の制御を行うので、循環ポンプの動作していない給湯単独運転から同時運転へ移行する場合と追い焚き単独運転から同時運転へ移行する場合の制御を共通化でき、その簡略化を図ることができる。
【図面の簡単な説明】
【図１】本発明の一実施の形態に係る１缶２路型給湯風呂釜を示す説明図である。
【図２】本発明の一実施の形態に係る１缶２水路型給湯風呂釜の有する制御基盤の回路構成を示すブロック図である。
【図３】本発明の一実施の形態に係る１缶２水路型給湯風呂釜が給湯と追い焚きの同時運転時に循環ポンプの流量を制御する際の流れを示す流れ図である。
【図４】本発明の一実施の形態に係る１缶２水路型給湯風呂釜が給湯単独運転から追い焚きとの同時運転へ移行したときに行う循環ポンプの流量制御の流れを示す流れ図である。
【図５】本発明の一実施の形態に係る１缶２水路型給湯風呂釜が追い焚き単独運転から給湯との同時運転へ移行したときに行う循環ポンプの流量制御の流れを示す流れ図である。
【図６】本発明の一実施の形態に係る１缶２水路型給湯風呂釜が追い焚き単独運転から給湯との同時運転へ移行したときに行う循環ポンプの流量制御の流れの他の一例を示す流れ図である。
【符号の説明】
１０…１缶２水路型給湯風呂釜
１１…燃焼室
１２…バーナー
１３…熱交換器
１４…燃焼ファン
１９…ガス比例弁
２１…給湯用パイプ
２２…固定バイパス路
２３…流量制御弁（ＧＭ１）
２４…バイパス路
２５…流量制御弁（ＧＭ２）
２６ａ、２６ｂ…フローセンサ
２７…入水サーミスタ
２８…熱交サーミスタ
２９…出湯サーミスタ
３１…追い焚き用循環パイプ
３２…循環ポンプ
３３…風呂流水スイッチ
３４…風呂温度サーミスタ
３５…注湯電磁弁
３６…注湯パイプ
４０…浴槽
【図１】
0003859831.tif 000002
【図２】
0003859831.tif 000003
【図３】
0003859831.tif 000004
【図４】
0003859831.tif 000005
【図５】
0003859831.tif 000006
【図６】
0003859831.tif 000007